(57)【要約】    【課題】    内視鏡対物レンズにおいて、レンズ系をコンパクトに保ったまま諸収差特に色収差の軸上色収差と倍率の色収差をバランスよく補正する。    【解決手段】    負の第１レンズと、正の第２レンズと、明るさ絞りと、負の第３レンズと正の第４レンズとを接合した接合レンズとにて構成された内視鏡対物レンズで、次の条件（１）、（２）、（５）、（４）を満足する内視鏡対物レンズ。（１）    ０．５＜Ｄ１／ｆ＜１．８（２）    Ｄ２／ｆ＜０．９（５）    ｜ｆ／（ｆ1×ν1）＋ｆ／（ｆ2×ν2）｜＜０．０２５（４）    １．５＜｜（ｆ4×ν4）／（ｆ3×ν3）｜【選択図】            図１
2009258659.tif 000002
【特許請求の範囲】
【請求項１】
物体側から順に、負の第１レンズと、正の第２レンズと、明るさ絞りと、負の第３レンズと正の第４レンズとを接合した接合レンズよりなり、下記条件（１）、（２）、（５）、（４）を満足する内視鏡対物レンズ。
（１）    ０．５＜Ｄ１／ｆ＜１．８
（２）    Ｄ２／ｆ＜０．９
（５）    ｜ｆ／（ｆ1×ν1）＋ｆ／（ｆ2×ν2）｜＜０．０２５
（４）    １．５＜｜（ｆ4×ν4）／（ｆ3×ν3）｜
ただし、Ｄ１は第１レンズ物体側面から明るさ絞りまでの空気換算長、Ｄ２は明るさ絞りから第４レンズ像側面までの空気換算長、ｆは全系の合成焦点距離、ｆ1、ｆ2、ｆ3、ｆ4は夫々第１レンズ、第２レンズ、第３レンズ、第４レンズの焦点距離、ν1、、ν2、ν3、ν4は夫々第１レンズ、第２レンズ、第３レンズ、第４レンズのアッベ数である。
【請求項２】
物体側から順に、負の第１レンズと、正の第２レンズと、明るさ絞りと、負の第３レンズと正の第４レンズとを接合した接合レンズと、正の第５レンズよりなり、下記条件（１）、（２）、（３）、（４）を満足する内視鏡対物レンズ。
（１）    ０．５＜Ｄ１／ｆ＜１．８
（２）    Ｄ２／ｆ＜０．９
（３）    ｜ｆ／（ｆ5×ν5）−ｆ／（ｆ1×ν1）−ｆ／（ｆ2×ν2）｜
＜０．０２５
（４）    １．５＜｜（ｆ4×ν4）／（ｆ3×ν3）｜
ただし、Ｄ１は第１レンズ物体側面から明るさ絞りまでの空気換算長、Ｄ２は明るさ絞りから第４レンズ像側面までの空気換算長、ｆは全系の合成焦点距離、ｆ1、ｆ2、ｆ3、ｆ4、ｆ5は夫々第１レンズ、第２レンズ、第３レンズ、第４レンズ、第５レンズの焦点距離、ν1、、ν2、ν3、ν4、ν5は夫々第１レンズ、第２レンズ、第３レンズ、第４レンズ、第５レンズのアッベ数である。
【請求項３】
前記第３レンズが像面側に曲率の大きな凹面を向けた負レンズであり、前記第５レンズが物体側に凸面を向けた平凸レンズで撮像素子に隣接して配置され、前記明るさ絞りと前記負の第３レンズが隣接して配置されていて、前記条件（１）、（２）、（５）、（４）の代りに夫々下記条件（１−１）、（２−１）、（５−１）、（４−１）を満足することを特徴とする請求項１の内視鏡対物レンズ。
（１−１）    ０．７＜Ｄ１／ｆ＜１．５
（２−１）    Ｄ２／ｆ＜０．７
（５−１）    ｜ｆ／（ｆ1×ν1）＋ｆ／（ｆ2×ν2）｜＜０．０１６
（４−１）    １．９＜｜（ｆ4×ν4）／（ｆ3×ν3）｜
【請求項４】
前記第３レンズが像面側に曲率の大きな凹面を向けた負レンズであり、前記第５レンズが物体側に凸面を向けた平凸レンズで撮像素子に隣接して配置され、前記明るさ絞りと前記負の第３レンズが隣接して配置されていて、前記条件（１）、（２）、（３）、（４）の代りに夫々下記条件（１−１）、（２−１）、（３−１）、（４−１）を満足することを特徴とする請求項２の内視鏡対物レンズ。
（１−１）    ０．７＜Ｄ１／ｆ＜１．５
（２−１）    Ｄ２／ｆ＜０．７
（３−１）    ｜ｆ／（ｆ5×ν5）−ｆ／（ｆ1×ν1）−ｆ／（ｆ2×ν2）｜
＜０．０１６
（４−１）    １．９＜｜（ｆ4×ν4）／（ｆ3×ν3）｜
【請求項５】
少なくとも第１レンズがサファイアよりなることを特徴とする請求項１、２、３又は４の内視鏡対物レンズ。
【発明の詳細な説明】
【技術分野】
【０００１】
本発明は、レンズ枚数が少なく、簡単な構成の内視鏡対物レンズに関するものである。
【背景技術】
【０００２】
近年、内視鏡の高画素化が進み、諸収差が良好に補正された対物レンズが求められている。特に最近では数枚のレンズを組み合わせてザイデル収差を良好に補正するだけではなく、接合レンズを用いての色収差も良好に補正されている対物レンズが主流となっている。
このような接合レンズを用いた内視鏡対物レンズの従来例として下記文献に記載されている対物レンズが知られている。
【先行技術文献】
【特許文献】
【０００３】
【特許文献１】特公平８−２７４２９号公報
【特許文献２】特許３３５９０９２号公報
【０００４】
これら文献に記載されている対物レンズは、物体側より順に正レンズと負レンズを接合した接合レンズを絞りから像面までの間に配置することにより、他のレンズにて発生する倍率の色収差と軸上色収差を良好に補正するようにしている。
【発明の概要】
【発明が解決しようとする課題】
【０００５】
しかし、これら従来例のような構成では倍率の色収差を補正するために像面に近い位置、即ち光線高の高い位置に配置することになり、必然的に接合レンズの外径が大になる。その結果、十分なコバ厚を確保するためには、レンズの厚さを厚くする必要があり、光学系の全長が比較的長くなる。それに加えて、一般に各レンズの面の曲率や厚さの製造誤差によって結像位置のばらつきが生じるため、従来例では、これを補正するための接合レンズと像面との間に像位置調整用の間隔を設ける必要がある。それにより従来例のように、像面の近くに接合レンズを配置した構成の対物レンズは、光学系の全長が一層大になるという課題を有する。
【０００６】
更に、上記従来例の対物レンズは、接合レンズにより軸上色収差と倍率の色収差の双方に影響を与えるために、両収差をバランスよく補正することが困難であるという欠点も有する。
【課題を解決するための手段】
【０００７】
本発明の内視鏡対物レンズは、前記の課題を解決するためになされたものであって、物体側から順に、少なくとも負の第１レンズと、正の第２レンズとからなる前群と、明るさ絞りと、負の第３レンズと正の第４レンズとを接合した接合レンズとを備えた対物レンズであって、次の条件（１）、（２）、（５）、（４）を満足することを特徴とする。
（１）    ０．５＜Ｄ１／ｆ＜１．８
（２）    Ｄ２／ｆ＜０．９
（５）    ｜ｆ／（ｆ1×ν1）＋ｆ／（ｆ2×ν2）｜＜０．０２５
（４）    １．５＜｜（ｆ4×ν4）／（ｆ3×ν3）｜
ただし、Ｄ１は第１レンズ物体側面から明るさ絞りまでの空気換算長、Ｄ２は明るさ絞りから第４レンズ像側面までの空気換算長、ｆは対物レンズ全系の焦点距離、ｆ1、ｆ2、ｆ3、ｆ4は夫々第１レンズ、第２レンズ、第３レンズ、第４レンズの焦点距離、ν1、、ν2、ν3、ν4は夫々第１レンズ、第２レンズ、第３レンズ、第４レンズのアッベ数である。
【０００８】
又、本発明の内視鏡対物レンズは、前記の課題を解決するためになされたものであって、物体側から順に、負の第１レンズと、正の第２レンズと、明るさ絞りと、負の第３レンズと正の第４レンズとを接合した接合レンズと、正の第５レンズからなる対物レンズであって、次の条件（１）、（２）、（３）、（４）を満足することを特徴とする。
（１）    ０．５＜Ｄ１／ｆ＜１．８
（２）    Ｄ２／ｆ＜０．９
（３）    ｜ｆ／（ｆ5×ν5）−ｆ／（ｆ1×ν1）−ｆ／（ｆ2×ν2）｜
＜０．０２５
（４）    １．５＜｜（ｆ4×ν4）／（ｆ3×ν3）｜
ただし、Ｄ１は第１レンズ物体側面から明るさ絞りまでの空気換算長、Ｄ２は明るさ絞りから第４レンズ像側面までの空気換算長、ｆは対物レンズ全系の焦点距離、ｆ1、ｆ2、ｆ3、ｆ4、ｆ5は夫々第１レンズ、第２レンズ、第３レンズ、第４レンズ、第５レンズの焦点距離、ν1、、ν2、ν3、ν4、ν5は夫々第１レンズ、第２レンズ、第３レンズ、第４レンズ、第５レンズのアッベ数である。    この内視鏡対物レンズは、前記のように負の第１レンズと正の第２レンズと明るさ絞りと負の第３レンズと正の第４レンズとを接合した接合レンズと第５レンズの５枚のレンズよりなり、前記条件（１）、（２）、（５）、（４）のうち条件（１）、（２）、（４）と、条件（５）の代わりに条件（３）を満足するようにしたことを特徴とする。
【０００９】
条件（１）は第１レンズの物体側の面から明るさ絞りまでの空気換算長を規定する条件である。この条件（１）において、Ｄ１／ｆが上限値の１．８を超えると、第１レンズ表面から明るさ絞りまでの距離が大になり瞳位置が物体面から遠ざかる。その結果、光学系の全長が長くなる。又、下限値の０．５を下回ると、コマ収差が発生し、画面周辺部での画質が悪化する。
【００１０】
また、条件（２）は明るさ絞りから第４レンズの像側の面までの空気換算長を規定するものである。この条件（２）においてＤ２／ｆが上限値の０．９を超えると光線高の高い位置に接合レンズの凸面が位置することになり、その結果倍率の色収差の増加を招くことになる。それに加え、像位置調整用の間隔を十分に確保するためには、接合レンズの像側の面から第５レンズまでの距離を十分離す必要があり、前記のように明るさ絞りから接合レンズの像側も面までの距離が大になることは光学系の全長が長くなることを意味する。このような観点からも条件（２）を満足する必要がある。
【００１１】
条件（５）は、倍率の色収差に関するものである。この条件（５）におけるｆ／（ｆ1×ν1），ｆ／（ｆ2×ν2）は、夫々第１レンズ、第２レンズで発生する倍率の色収差の目安である。これらの和の絶対値｜ｆ／（ｆ1×ν1）＋ｆ／（ｆ2×ν2）｜が条件（３）の上限値の０．０２５以上になると、光学系全体の倍率の色収差が非常に大きくなり、その結果周辺画質が悪化する。尚、本発明の対物レンズは第３レンズ、第４レンズでは倍率の色収差の発生がほとんどない。そのため、条件（３）を満足することだけで、倍率の色収差を良好に補正することができる。
【００１２】
条件（４）は、第３レンズと第４レンズよりなる接合レンズによる軸上色収差の補正効果の目安である、この条件（４）において、｜（ｆ4×ν4）／（ｆ3×ν3）｜が下限値の１．５を下回ると他のレンズにて発生する軸上色収差を補正しきれなくなり、画質の低下を招く。
【００１３】
ここで、上記の５枚のレンズにて構成される本発明の対物レンズは、条件（５）の代わりに条件（３）を満足する。この条件（３）は条件（５）と同様に倍率の色収差に関するものである。この条件（３）におけるｆ／（ｆ5×ν5），−ｆ／（ｆ1×ν1），−ｆ／（ｆ2×ν2）は、夫々第５レンズ、第１レンズ、第２レンズで発生する倍率の色収差の目安である。これらの和の絶対値｜ｆ／（ｆ5×ν5）−ｆ／（ｆ1×ν1）−ｆ／（ｆ2×ν2）｜が条件（３）の上限値の０．０２５以上になると、光学系全体の倍率の色収差が非常に大きくなり、その結果周辺画質が悪化する。尚、本発明の対物レンズは第３レンズ、第４レンズでは倍率の色収差の発生がほとんどない。そのため、条件（３）を満足することだけで、倍率の色収差を良好に補正することができる。
【００１４】
ここで、以上述べた本発明の対物レンズが、光学系の全長を短くし得る点、および倍率の色収差と軸上色収差をバランスよく補正し得る点について、従来の対物レンズとの比較において、更に詳細に説明する。
【００１５】
従来の対物レンズは、軸上色収差に加えて倍率の色収差を補正するために、像面に近い位置つまり光線高の高い位置に接合レンズを配置する必要がある。そのために、接合レンズの外径が大になり、接合レンズのコバ厚を十分確保するために接合レンズの肉厚を大にしなければならない。その上像位置調整用の間隔を確保するために、接合レンズと撮像素子との間に適当な間隔を設ける必要がある。これらのことから、従来の対物レンズは光学系の全長が長くなる傾向にあった。
【００１６】
本発明の対物レンズは、前述のようなレンズ構成であって、更に条件（５）（５枚のレンズにて構成されている光学系の場合は条件（３））を満足するようにして倍率の色収差を補正しつつ、条件（２）、（４）を満足することにより、軸上色収差を補正するようにしている。これにより光線高の高い像面の近くに接合レンズを配置する必要がなく、十分な像位置調整用間隔を保ちながら、光学系の全長を短くすることが可能である。これに加えて、条件（１）を満足することにより、ザイデル収差特にコマ収差を良好に補正しつつ更に光学系の全長を短くすることができる。
【００１７】
又、従来の対物レンズは、光線高の高い像位置の近くに接合レンズを配置し、この接合レンズにて倍率の色収差と軸上色収差の両色収差を同時に補正するようにしている。この場合、例えば、接合レンズの硝材や、面の曲率を変化させて倍率の色収差のみの補正度合いを変更しようと試みても、軸上色収差に影響が生じ二つの色収差をバランスよく補正することが困難である。
【００１８】
これに対し、本発明は前述のように条件（５）又は条件（３）を満足することにより、倍率の色収差を補正し、又、条件（２）、（４）を満足することにより、軸上色収差を補正している。
【００１９】
即ち、倍率の色収差と軸上色収差の夫々の補正の度合いを夫々独立して調整し得る。したがって、これら二つの色収差を補正するにあたって試行錯誤を繰り返す必要がない。
【００２０】
以上述べた本発明の対物レンズにおいて、第３レンズを像面側が強い曲率の凹面である負レンズにて構成することが望ましい。この第３レンズを物体側が強い曲率の凹面である負レンズとするとこの負のパワーを吸収するだけの正のパワーを他のレンズに持たせることが困難であり、内視鏡対物レンズとしての仕様を持たせることが困難になる。
【００２１】
又、上記本発明の対物レンズにおいて、５枚のレンズにて構成する場合、第５レンズを物体側に凸面を向けた平凸レンズとし、この平凸レンズの第５レンズを撮像素子に隣接配置することが望ましい。これにより無駄なスペーサーを配置する必要がなくなり、枠構成を簡略化できる。
【００２２】
更に、明るさ絞りと負の第３レンズとを隣接させて配置することが望ましい。これにより無駄なスペーサーを配置する必要がなくなり、枠構成を簡略化できる。又、明るさ絞りと第４レンズの像側の面の間に空気層がなくなるため条件（２）または次に記載する条件（２−１）を容易に満足し得るようになる。
【００２３】
又、前述の本発明の対物レンズにおいて、夫々条件（１）、（２）、（３）、（４）の代りに次の条件（１−１）、（２−１）、（５−１）、（３−１）、（４−１）を満足するようにすればより望ましい。
（１−１）    ０．７＜Ｄ１／ｆ＜１．５
（２−１）    Ｄ２／ｆ＜０．７
（５−１）    ｜ｆ／（ｆ1×ν1）＋ｆ／（ｆ2×ν2）｜＜０．０１６
（３−１）    ｜ｆ／（ｆ5×ν5）−ｆ／（ｆ1×ν1）−ｆ／（ｆ2×ν2）｜
＜０．０１６
（４−１）    １．９＜｜（ｆ4×ν4）／（ｆ3×ν3）｜
ただし、Ｄ１は第１レンズ物体側面から明るさ絞りまでの空気換算長、Ｄ２は明るさ絞りから第４レンズ像側面までの空気換算長、ｆは対物レンズ全系の焦点距離、ｆ1、ｆ2、ｆ3、ｆ4、ｆ5は夫々第１レンズ、第２レンズ、第３レンズ、第４レンズ、第５レンズの焦点距離、ν1、、ν2、ν3、ν4、ν5は夫々第１レンズ、第２レンズ、第３レンズ、第４レンズ、第５レンズのアッベ数である。    これら条件（１−１）、（２−１）、（５−１）、（３−１）、（４−１）は、夫々条件（１）、（２）、（３）、（４）において、その条件の上限値、下限値を変更してその範囲を限定したものである。したがって、これら条件を設けたことの意味および上限値、下限値の設定の理由は、条件（１）、（２）、（５）、（３）、（４）に述べたと同様であり、又、上記のようにその範囲を限定することにより色収差等の諸収差が一層良好に補正され又全長のより短い対物レンズが得られる。
【００２４】
又、本発明の対物レンズにおいて、第１レンズの硝材をサファイアとすることが好ましい。サファイアは、高屈折率、低分散であることに加え、機械的、化学的に極めて安定している。したがって、第１レンズをサファイアにすることにより、条件（５）、（５−１）、（３）、（３−１）を容易に満足させ得ると共に、耐衝撃性、耐薬品性に優れた対物レンズとすることができる。
【発明の効果】
【００２５】
本発明の対物レンズは、ザイデル収差を良好に補正しながらも倍率の色収差と軸上色収差をバランス良く補正し得るようにして、色収差を含む諸収差を良好に補正したコンパクトな対物レンズを実現し得るという効果を有する。
【図面の簡単な説明】
【００２６】
【図１】本発明の実施例１の断面図
【図２】本発明の実施例２の断面図
【図３】本発明の実施例３の断面図
【図４】本発明の実施例４の断面図
【図５】本発明の実施例５の断面図
【図６】本発明の実施例６の断面図
【図７】本発明の実施例７の断面図
【図８】本発明の実施例１の収差図
【図９】本発明の実施例２の収差図
【図１０】本発明の実施例３の収差図
【図１１】本発明の実施例４の収差図
【図１２】本発明の実施例５の収差図
【図１３】本発明の実施例６の収差図
【図１４】本発明の実施例７の収差図
【発明を実施するための形態】
【００２７】
次に、本発明の対物レンズの実施の形態を図示する実施例をもとに説明する。
【００２８】
本発明の実施例１乃至実施例７は夫々図１乃至図７に示す通りであって、下記データを有する。
【実施例１】
【００２９】
ｆ＝1.00，  Ｆｎｏ＝6.33，  ２ω＝92°，ＩＨ＝0.757，  物体距離＝∞
ｒ1 ＝∞                ｄ1 ＝0.29       ｎ1 ＝1.77066     ν1 ＝71.79 
ｒ2 ＝0.6942            ｄ2 ＝0.45
ｒ3 ＝1.7187            ｄ3 ＝1.01       ｎ2 ＝1.73429     ν2 ＝28.46 
ｒ4 ＝-1.7187           ｄ4 ＝0.09
ｒ5 ＝∞（明るさ絞り）  ｄ5 ＝0.04
ｒ6 ＝∞                ｄ6 ＝0.44       ｎ3 ＝1.93429     ν3 ＝18.90 
ｒ7 ＝1.3255            ｄ7 ＝1.11       ｎ4 ＝1.75844     ν4 ＝52.32 
ｒ8 ＝-1.3255           ｄ8 ＝1.62
ｒ9 ＝∞
【実施例２】
【００３０】
ｆ＝1.00，  Ｆｎｏ＝6.19，  ２ω＝93°，ＩＨ＝0.757，  物体距離＝∞
ｒ1 ＝∞                ｄ1 ＝0.29       ｎ1 ＝1.77066     ν1 ＝71.79 
ｒ2 ＝0.6942            ｄ2 ＝0.45
ｒ3 ＝1.7187            ｄ3 ＝1.01       ｎ2 ＝1.73429     ν2 ＝28.46 
ｒ4 ＝-1.7187           ｄ4 ＝0.09
ｒ5 ＝∞（明るさ絞り）  ｄ5 ＝0.04
ｒ6 ＝∞                ｄ6 ＝0.38       ｎ3 ＝1.93429     ν3 ＝18.90 
ｒ7 ＝1.3255            ｄ7 ＝0.7        ｎ4 ＝1.75844     ν4 ＝52.32 
ｒ8 ＝-1.3255           ｄ8 ＝1.62
ｒ9 ＝∞
【実施例３】
【００３１】
ｆ＝1.00，  Ｆｎｏ＝6.06，  ２ω＝81°，ＩＨ＝0.679，  物体距離＝∞
ｒ1 ＝∞                ｄ1 ＝0.26       ｎ1 ＝1.77066     ν1 ＝71.79 
ｒ2 ＝0.623             ｄ2 ＝0.39
ｒ3 ＝1.542             ｄ3 ＝0.93       ｎ2 ＝1.74706     ν2 ＝27.79 
ｒ4 ＝-1.542            ｄ4 ＝0.07
ｒ5 ＝∞（明るさ絞り）  ｄ5 ＝0.04
ｒ6 ＝-7.198            ｄ6 ＝0.43       ｎ3 ＝1.93429     ν3 ＝18.90 
ｒ7 ＝1.323             ｄ7 ＝0.88       ｎ4 ＝1.75844     ν4 ＝52.32 
ｒ8 ＝-1.323            ｄ8 ＝0.96
ｒ9 ＝5.849             ｄ9 ＝0.72       ｎ5 ＝1.51825     ν5 ＝64.14
ｒ10＝-8.998            ｄ10＝0.43
ｒ11＝∞
【実施例４】
【００３２】
ｆ＝1.00，  Ｆｎｏ＝5.45，  ２ω＝93°，ＩＨ＝0.763，  物体距離＝∞
ｒ1 ＝∞                ｄ1 ＝0.29       ｎ1 ＝1.77066     ν1 ＝71.79 
ｒ2 ＝0.700             ｄ2 ＝0.44
ｒ3 ＝1.732             ｄ3 ＝1.05       ｎ2 ＝1.74706     ν2 ＝27.79 
ｒ4 ＝-1.732            ｄ4 ＝0.07
ｒ5 ＝∞（明るさ絞り）  ｄ5 ＝0.04
ｒ6 ＝∞                ｄ6 ＝0.49       ｎ3 ＝1.93429     ν3 ＝18.90 
ｒ7 ＝1.485             ｄ7 ＝0.99       ｎ4 ＝1.75844     ν4 ＝52.32 
ｒ8 ＝-1.485            ｄ8 ＝0.75
ｒ9 ＝5.890             ｄ9 ＝0.81       ｎ5 ＝1.51825     ν5 ＝64.14
ｒ10＝∞                ｄ10＝0.59       ｎ6 ＝1.6135      ν6 ＝50.40
ｒ11＝∞
【実施例５】
【００３３】
ｆ＝1.00，  Ｆｎｏ＝7.61，  ２ω＝92°，ＩＨ＝0.780，  物体距離＝9ｍｍｒ1 ＝∞                ｄ1 ＝0.24       ｎ1 ＝1.77066     ν1 ＝71.79 
ｒ2 ＝0.808             ｄ2 ＝0.34
ｒ3 ＝1.126             ｄ3 ＝0.57       ｎ2 ＝1.85504     ν2 ＝27.78 
ｒ4 ＝∞（明るさ絞り）  ｄ4 ＝0.03
ｒ5 ＝∞                ｄ5 ＝0.27       ｎ3 ＝1.93429     ν3 ＝18.90 
ｒ6 ＝1.009             ｄ6 ＝0.62       ｎ4 ＝1.73234     ν4 ＝54.68 
ｒ7 ＝-1.009            ｄ7 ＝0.70
ｒ8 ＝2.050             ｄ8 ＝0.83       ｎ5 ＝1.51825     ν5 ＝64.14
ｒ9 ＝∞                ｄ9 ＝0.62       ｎ6 ＝1.6135      ν6 ＝50.49
ｒ10＝∞
【実施例６】
【００３４】
ｆ＝1.00，  Ｆｎｏ＝8.57，  ２ω＝90°，ＩＨ＝0.783，物体距離＝10ｍｍ
ｒ1 ＝∞                ｄ1 ＝0.23       ｎ1 ＝1.77066     ν1 ＝71.79 
ｒ2 ＝0.778             ｄ2 ＝0.30
ｒ3 ＝1.069             ｄ3 ＝0.56       ｎ2 ＝1.85504     ν2 ＝27.78 
ｒ4 ＝∞（明るさ絞り）  ｄ4 ＝0.03
ｒ5 ＝∞                ｄ5 ＝0.26       ｎ3 ＝1.93429     ν3 ＝18.90 
ｒ6 ＝1.011             ｄ6 ＝0.58       ｎ4 ＝1.73234     ν4 ＝54.68 
ｒ7 ＝-1.011            ｄ7 ＝1.01
ｒ8 ＝2.325             ｄ8 ＝0.73       ｎ5 ＝1.88815     ν5 ＝40.76
ｒ9 ＝∞                ｄ9 ＝0.43       ｎ6 ＝1.51825     ν6 ＝64.14
ｒ10＝∞
【実施例７】
【００３５】
ｆ＝1.00，  Ｆｎｏ＝7.58，２ω＝115°，ＩＨ＝0.935，物体距離＝7.5ｍｍ
ｒ1 ＝∞                ｄ1 ＝0.21       ｎ1 ＝1.77313     ν1 ＝71.70 
ｒ2 ＝0.759             ｄ2 ＝0.54
ｒ3 ＝1.560             ｄ3 ＝0.59       ｎ2 ＝1.93429     ν2 ＝18.90 
ｒ4 ＝∞（明るさ絞り）  ｄ4 ＝0.03
ｒ5 ＝∞                ｄ5 ＝0.31       ｎ3 ＝1.93429     ν3 ＝18.90 
ｒ6 ＝1.034             ｄ6 ＝0.80       ｎ4 ＝1.73234     ν4 ＝54.68 
ｒ7 ＝-1.034            ｄ7 ＝1.02
ｒ8 ＝3.336             ｄ8 ＝0.87       ｎ5 ＝1.51825     ν5 ＝64.14
ｒ9 ＝∞                ｄ9 ＝0.72       ｎ6 ＝1.61641     ν6 ＝50.20
ｒ10＝∞
実施例１
条件（１）    １．２９    
条件（２）    ０．８９９
条件（４）    ２．０８
条件（５）    ０．０１０８
実施例２
条件（１）    １．２９
条件（２）    ０．６３
条件（３）    １．９２
条件（４）    ０．０１１
実施例３
条件（１）    １．１４
条件（２）    ０．７６
条件（３）    ０．０１０９
条件（４）    ２．４１
実施例４
条件（１）    １．２７
条件（２）    ０．８６
条件（３）    ０．０１０３
条件（４）    １．９９
実施例５
条件（１）    ０．７８
条件（２）    ０．５３
条件（３）    ０．０１４７
条件（４）    ２．１２
実施例６
条件（１）    ０．７３
条件（２）    ０．５０
条件（３）    ０．０１０５
条件（４）    ２．１０
実施例７
条件（１）    ０．９６
条件（２）    ０．６５
条件（３）    ０．０１５１
条件（４）    ２．２１
上記データ中、ｆは全系の焦点距離、ＦｎｏはＦナンバー、２ωは全画角、ＩＨは像高、ｒ1、ｒ2、・・・は各レンズ面の曲率半径、ｄ1、ｄ2、・・・は各レンズの肉厚および空気間隔、ｎ1、ｎ2、・・・は各レンズのｅ線に対する屈折率、ν1、ν2、・・・は各レンズのｄ線におけるアッベ数である。なお、ｒ1、ｒ2、・・・等の長さの単位はｍｍである。
【００３６】
本発明の実施例１は、図１に示す通りの構成で、物体側より順に、平凹レンズである負の第１レンズ（ｒ1〜ｒ2）と、両凸レンズである正の第２レンズ（ｒ3〜ｒ4）と、明るさ絞り（ｒ5）と、平凹レンズである負の第３レンズ（ｒ6〜ｒ7）と両凸レンズである正の第４レンズ（ｒ7〜ｒ8）を接合した接合レンズとよりなる対物レンズである。又図中ｒ9は像面である。
【００３７】
この実施例１は、上記表に示すように、条件（１）、（２）、（５）、（４）または条件（１−１）、（５−１）、（４−１）を満足する。
【００３８】
本発明の実施例２は、図２に示す通りの構成で、物体側より順に、平凹レンズである負の第１レンズ（ｒ1〜ｒ2）と、両凸レンズである正の第２レンズ（ｒ3〜ｒ4）と、明るさ絞り（ｒ5）と、平凹レンズである負の第３レンズ（ｒ6〜ｒ7）と、両凸レンズである正の第４レンズ（ｒ7〜ｒ8）を接合した接合レンズとよりなる対物レンズである。又図２においてｒ9は像面である。
【００３９】
この実施例２は、上記表に示すように、条件（１）、（２）、（５）、（４）または条件（１−１）、（２−１）、（５−１）、（４−１）を満足する。
【００４０】
本発明の実施例３は、図３に示す通りの構成で、物体側より順に、平凹レンズである負の第１レンズ（ｒ1〜ｒ2）と、両凸レンズである正の第２レンズ（ｒ3〜ｒ4）と、明るさ絞り（ｒ5）と、両凹レンズである負の第３レンズ（ｒ6〜ｒ7）と両凸レンズである正の第４レンズ（ｒ7〜ｒ8）を接合した接合レンズと、両凸レンズである正の第５レンズ（ｒ9〜ｒ10）とよりなる対物レンズである。又図中ｒ11は像面である。
【００４１】
この実施例３は、上記表に示すように、条件（１）、（２）、（３）、（４）または条件（１−１）、（３−１）、（４−１）を満足する。
【００４２】
実施例４は、図４に示す通りの構成で、物体側より順に、平凹レンズである負の第１レンズ（ｒ1〜ｒ2）と、両凸レンズである正の第２レンズ（ｒ3〜ｒ4）と、明るさ絞り（ｒ5）と、平凹レンズである負の第３レンズ（ｒ6〜ｒ7）と両凸レンズである正の第４レンズ（ｒ7〜ｒ8）を接合した接合レンズと、凸平形状のレンズである正の第５レンズ（ｒ9〜ｒ10）とよりなる。又、平行平面板（ｒ10〜ｒ11）はカバーガラスで第５レンズに接合されており又その像側の面ｒ11が像面である。
【００４３】
この実施例４も、上記表に示すように、条件（１）、（２）、（３）、（４）または条件（１−１）、（３−１）、（４−１）を満足する。
【００４４】
この実施例４は、第５レンズの物体側の面を平面にし、撮像素子に隣接して配置し、更に第３レンズの物体側の面を平面にして明るさ絞りに隣接配置したもので、枠構成を簡略化した例である。
【００４５】
又実施例５は、図５に示す通りの構成で、物体側より順に、平凹レンズである負の第１レンズ（ｒ1〜ｒ2）と、凸平形状のレンズである正の第２レンズ（ｒ3〜ｒ4）と、明るさ絞り（ｒ4）と、平凹レンズである負の第３レンズ（ｒ5〜ｒ6）と両凸レンズである正の第４レンズ（ｒ6〜ｒ7）とを接合した接合レンズと、凸平形状のレンズである正の第５レンズ（ｒ8〜ｒ9）とよりなる。
【００４６】
又、平行平面板（ｒ9〜ｒ10）はカバーガラスであり、その物体側の面（ｒ9）が第５レンズと接合されており、像側の面（ｒ10）が像面である。
【００４７】
この実施例５は、明るさ絞り（ｒ4）が第２レンズの像側の面に設けられている。
【００４８】
この実施例５も、上記表に示すように、条件（１）、（２）、（３）、（４）または条件（１−１）、（２−１）、（３−１）、（４−１）を満足する。
【００４９】
この実施例５は、第２レンズの像側の面を平面にし明るさ絞りに隣接するように配置し、更に光学系の全長を短縮した例である。又この実施例５は物体距離を近点寄りにした設計になっている。
【００５０】
実施例６は、図６に示す通りの構成で、物体側より順に、平凹レンズである負の第１レンズ（ｒ1〜ｒ2）と、凸平形状のレンズである正の第２レンズ（ｒ3〜ｒ4）と、明るさ絞り（ｒ4）と、平凹形状のレンズである負の第３レンズ（ｒ5〜ｒ6）と両凸レンズである正の第４レンズ（ｒ6〜ｒ7）を接合した接合レンズと、凸平形状のレンズである正の第５レンズ（ｒ8〜ｒ9）とよりなる。
【００５１】
又、平行平面板（ｒ9〜ｒ10）はカバーガラスであり、その物体側の面（ｒ9）が第５レンズと接合されており、その像側の面（ｒ10）が像面である。
【００５２】
この実施例６は、明るさ絞り（ｒ4）が第２レンズの像側の面に設けられている。
【００５３】
この実施例６も、上記表に示すように、条件（１）、（２）、（３）、（４）または条件（１−１）、（２−１）、（３−１）、（４−１）を満足する。
【００５４】
この実施例６は、第５レンズの曲率（パワー）を大にして撮像素子に対するテレセントリック性を高めた例である。
【００５５】
実施例７は、図７に示す通りの構成で、物体側より順に、平凹レンズである負の第１レンズ（ｒ1〜ｒ2）と、凸平形状のレンズである正の第２レンズ（ｒ3〜ｒ4）と、明るさ絞り（ｒ4）と、平凹形状のレンズである負の第３レンズ（ｒ5〜ｒ6）と両凸レンズである正の第４レンズ（ｒ6〜ｒ7）を接合した接合レンズと、凸平形状のレンズである正の第５レンズ（ｒ8〜ｒ9）とよりなるレンズ系である。
【００５６】
又、平行平面板（ｒ9〜ｒ10）はカバーガラスであり、その物体側の面（ｒ9）が第５レンズと接合されており、像側の面（ｒ10）は像面である。
【００５７】
この実施例７は、明るさ絞り（ｒ4）が第２レンズの像側の面に設けられている。
【００５８】
この実施例７も、上記表に示すように、条件（１）、（２）、（３）、（４）または条件（１−１）、（２−１）、（３−１）、（４−１）を満足する。
【００５９】
この実施例７は更に全画角２ωを広げた例である。
【００６０】
尚、実施例１乃至実施例７の対物レンズにおいて、第１レンズはいずれも硝材としてサファイアが用いられている。
【００６１】
上記実施例１乃至実施例７の収差状況は、夫々図８乃至図１４に示す通りであって、いずれも諸収差が良好に補正されている。
【産業上の利用可能性】
【００６２】
本発明は内視鏡に用いる対物レンズであって、内視鏡の高画素化に対応できるようにコンパクト性を保ったまま、諸収差を良好に補正したもので、特に軸上色収差と倍率の色収差とをバランスよく補正した対物レンズを実現した。
【図１】
2009258659.tif 000003
【図２】
2009258659.tif 000004
【図３】
2009258659.tif 000005
【図４】
2009258659.tif 000006
【図５】
2009258659.tif 000007
【図６】
2009258659.tif 000008
【図７】
2009258659.tif 000009
【図８】
2009258659.tif 000010
【図９】
2009258659.tif 000011
【図１０】
2009258659.tif 000012
【図１１】
2009258659.tif 000013
【図１２】
2009258659.tif 000014
【図１３】
2009258659.tif 000015
【図１４】
2009258659.tif 000016